(57)【要約】【課題】バンドをより簡便で，かつ容易に保管及びカッティングできるように設計されたベルトクランプ用バンド収納ケースを提供する。【解決手段】本発明はベルトクランプ１０に適用されるバンド１１をより簡便で，かつ容易に保管及びカッティングできるように設計されたベルトクランプ用バンド収納ケースに関するものであって，ベルトクランプ１０の構成となるバンド１１の一端３１を始点として巻回されて他端３２を外部に取り出すようにして，一側面３３及び他側面３４，そして内周縁３５及び外周縁３６が設けられるドーナッツ型バンドコイル３０をより簡単・容易に収納及びカッティングするためのものである。【選択図】図２
2012035908.tif 000002
【特許請求の範囲】
【請求項１】
ベルトクランプの構成となるバンドの一端を始点として巻回されたバンドコイルの他端を外部に取り出すようにして，一側面及び他側面，そして内周縁及び外周縁を画定するドーナッツ型の前記バンドコイルを収納するベルトクランプ用バンド収納ケースであって，
前記ドーナッツ型バンドコイルの一側面を支持するドーナッツ型一側板と，前記ドーナッツ型バンドコイルの他側面を支持するドーナッツ型他側板とを含み，
前記ドーナッツ型一側板及びドーナッツ型他側板との係合により前記ドーナッツ型バンドコイルの内周縁及び外周縁を被覆する内部枠及び外部枠を形成し，前記バンドの他端が外部に露出できるように前記外部枠に取出孔を形成したことを特徴とするベルトクランプ用バンド収納ケース。
【請求項２】
前記ドーナッツ型一側板及びドーナッツ型他側板を被覆するように前記取出孔から露出された前記バンドの他端を掛けて時計方向に引き出す牽引部を含むことを特徴とする請求項１記載のベルトクランプ用バンド収納ケース。
【請求項３】
前記取出孔から前記外部枠の時計方向に離間する位置に前記バンドの長手方向と交差する方向に形成したカッティング溝を含むことを特徴とする請求項２記載のベルトクランプ用バンド収納ケース。
【請求項４】
前記牽引部により前記バンドが引っ張られて前記カッティング溝に至る際，前記取出孔からの取り出したバンド長さを把握するよう，前記ドーナッツ型他側板に前記取出孔を起点にして時計方向の等間隔で寸法を表示することを特徴とする請求項３記載のベルトクランプ用バンド収納ケース。
【請求項５】
前記ドーナッツ型他側板は透明材からなることを特徴とする請求項４記載のベルトクランプ用バンド収納ケース。
【請求項６】
前記バンドを前記取出孔から取り出す際，バンドが載置されるよう前記外部枠の円周方向にバンド案内溝を形成することを特徴とする請求項１記載のベルトクランプ用バンド収納ケース。
【請求項７】
前記ドーナッツ型一側板は等間隔で係止溝が形成され，
前記ドーナッツ型他側板は前記係止溝に着脱可能に組み立てられる係止片を備えることを特徴とする請求項１乃至６いずれか１項記載のベルトクランプ用バンド収納ケース。
【請求項８】
前記ドーナッツ型一側板は前記外部枠を備え，
前記ドーナッツ型他側板は前記内部枠を備えることを特徴とする請求項１〜６いずれか１項記載のベルトクランプ用バンド収納ケース。
【請求項９】
前記牽引部は，前記ドーナッツ型一側板及びドーナッツ型他側板を被覆するように互いに溝と突起とにより着脱可能に係合される一側牽引板及び他側牽引板からなり，
前記バンドの他端を掛止するための前記一側牽引板の上端に突出された係止段を含むことを特徴とする請求項１〜６いずれか１項記載のベルトクランプ用バンド収納ケース。
【発明の詳細な説明】
【技術分野】
【０００１】
本発明は，ベルトクランプ用バンド収納ケースに関し，より詳しくは，ベルトクランプに適用されるバンドをより簡便で，かつ容易に保管及びカッティングできるようにしたベルトクランプ用バンド収納ケースに関する。
【背景技術】
【０００２】
一般に，ダクトやホースなどは室内の空気を室外に排出したり工場などの煤煙ガス，又はほこりなどを外部に誘導するために設置され，このようなダクトやホースはベルトクランプによって結束されてその長さを延長したり，異なる角度に折曲，湾曲したダクトやホースなどに連通されて流体流路の変化を図る。
【０００３】
図８ａは，一般的なベルトクランプを示す分解斜視図であり，図８ｂは一般的なベルトクランプの使用状態を示す図である。
【０００４】
一般的なベルトクランプ１０は，図８ａ及び図８ｂに示すように，歯溝１１ａが形成されたバンド１１の折曲部１１ｂにファスナー１２の折曲片１２ｂが接合された状態でスポット熔接され，ファスナー１２はスクリュー１２ａを含む構造からなる。
【０００５】
このようなベルトクランプ１０は，例えば，ダクトＤを挟んでバンド１１を巻いた状態で歯溝１１ａにスクリュー１２ａのねじ山が噛合ないし係合するように締めることによりダクトＤの結束を完了することができる。
【０００６】
一方，ベルトクランプ１０による結束を完了するためにはバンド１１にファスナー１２を噛合ないし係合させる作業が必要であるが，このような場合，基本的にバンド１１は台形で連続した長さで形成され，このような台形のバンド１１をダクトＤの直径（外径）に従ってカッティングしてファスナー１２に噛合ないし係合する工程によりベルトクランプ１０による結束を完了する。
【０００７】
ところが，今まではベルトクランプ１０による結束を行う以前の，台形の連続した長さに形成されるバンド１１の保管が容易でなく，作業現場での不便性があった。
【０００８】
そして，大量のベルトクランプ１０による結束を完了するためには台形のバンド１１を自動化工程により一定の間隔でカッティングしてファスナー１２と噛合ないし係合をすることができるが，少量又はダクトＤの外径に従って随時バンド１１の長さを加減してベルトクランプ１０による結束を行う場合には，バンド１１の長さを定規で一々測った後，その規格だけの長さにバンドをカッティングしてファスナー１２と噛合ないし係合をするようにしなければならないので，その作業が極めて不便で，かつ困難な問題点があった。
【発明の概要】
【発明が解決しようとする課題】
【０００９】
本発明の目的は，ベルトクランプに適用されるバンドをより簡便で，かつ容易に保管及びカッティングできるようにしたベルトクランプ用バンド収納ケースを提供することにある。
【００１０】
本発明の目的は，ベルトクランプの構成となるバンドの一端を始点として巻回された後，他端を外部に取り出すようにして，一側面及び他側面，そして内周縁及び外周縁が一緒に設けられるドーナッツ型バンドコイルを簡単・容易に収納することができるようにしたベルトクランプ用バンド収納ケースを提供することにある。
【００１１】
本発明の目的は，バンドの一端から他端に至るまで巻回された状態をそのまま維持しながら，その他端のみを取り出してカッティングできるようにして，より便利で，かつ簡便にバンドを保管及び収納，そして取り出し及びカッティングできるベルトクランプ用バンド収納ケースを提供することにある。
【００１２】
本発明の目的は，外部枠にバンドの密着状態を維持しながらカッティング溝にカッターを挿入してバンドをカッティングできるようにして，バンドの弾性による擦過傷を未然に防止できるようにしたベルトクランプ用バンド収納ケースを提供することにある。
【００１３】
本発明の目的は，取出孔から時計方向の等間隔で寸法をドーナッツ型他側板に予め表記することにより，バンドの取り出し長さを正確に把握できるようにして，作業現場でのバンドのカッティング長さをリアルタイムに確認できるようにするベルトクランプ用バンド収納ケースを提供することにある。
【００１４】
本発明の目的は，バンドが取出孔から取り出す際，連続する一のバンドが載置ないし収納されるように外部枠の円周方向にバンド案内溝を形成し，外部に露出されたバンドが外部枠から抜け出さず，前記バンド案内溝に収納されるようにして，その長さの測定乃至カッティング時の安定性を共に倍加することができるようにしたベルトクランプ用バンド収納ケースを提供することにある。
【課題を解決するための手段】
【００１５】
上記の目的を達成するための本発明は，ベルトクランプの構成となるバンドの一端を始点として巻回されて他端を外部に取り出すようにして，一側面及び他側面，そして内周縁及び外周縁が共に設けられるドーナッツ型バンドコイルを収納するベルトクランプ用バンド収納ケースであって，上記ドーナッツ型バンドコイルの一側面を支持するドーナッツ型一側板と，上記ドーナッツ型バンドコイルの他側面を支持するドーナッツ型他側板とを含み，上記ドーナッツ型一側板及びドーナッツ型他側板との係合により，上記ドーナッツ型バンドコイルの内周縁及び外周縁を被覆する内部枠及び外部枠を形成し，上記バンドの他端が外部に露出できるように上記外部枠に取出孔を形成したことをその技術的構成上の基本特徴とする。
【発明の効果】
【００１６】
本発明は，ベルトクランプに適用されるバンドをより簡便に，かつ容易に保管及びカッティングできるほか，以下の効果を奏する。
【００１７】
本発明は，ベルトクランプの構成となるバンドの一端を始点として巻回されて他端を外部に取り出すようにして，一側面及び他側面，そして内周縁及び外周縁が共に設けられるドーナッツ型バンドコイルを簡単・容易に収納することができる。
【００１８】
本発明は，バンドの一端から他端に至るまで巻回された状態をそのまま維持しながら，その他端のみを引き出してカッティングできるようになって，より便利で，かつ簡便にバンドを保管及び収納，そして取り出し及びカッティングできる。
【００１９】
本発明は，牽引部がドーナッツ型一側板及びドーナッツ型他側板を被覆し，時計方向に回転することによって，バンドの巻かれた方向と一致する方向にバンドの他端を引き出すとき，自然にドーナッツ型バンドコイルがドーナッツ型一側板及びドーナッツ型他側板の内部で両側板にバンド幅方向両端縁を当接する状態で，回転しながら解け，より円滑で，かつ安全にバンドを取り出すことができ，このような状態で適当な長さにバンドを安全にカッティングしてファスナーとの噛合ないし係合をなすようにすることができる。
【００２０】
本発明は，外部枠にバンドの密着状態を維持しながらカッティング溝にカッターを挿入しててバンドをカッティングできるようにして，バンドの弾性による擦過傷を未然に防止できる。
【００２１】
本発明は，取出孔から時計方向の等間隔で寸法をドーナッツ型他側板に予め表記してバンドの取り出し長さを正確に把握できるようにすることで，作業現場でのバンドのカッティング長さがリアルタイムに確認できるようにするだけでなく，より迅速なカッティングを可能にする効果がある。
【００２２】
本発明は，合成樹脂のような透明材質でドーナッツ型他側板を製作して，ドーナッツ型バンドコイルの量，即ちバンドの残存長さを何時でも把握できる。
【００２３】
本発明は，外部に露出されたバンドが外部枠から抜け出さず，バンド案内溝にバンドが載置ないし収納されるようにして，その長さの測定乃至カッティング時の安定性を倍加することができる。
【００２４】
本発明は，ドーナッツ型一側板に等間隔で係止溝を形成し，ドーナッツ型他側板に係止片を具備して，係止片と係止溝とが互いに着脱可能に組立できるようにすることで，ドーナッツ型バンドコイルの自由な取替をより容易にすることができる。
【００２５】
本発明は，一側牽引板及び他側牽引板の相互間の着脱可能な係合により牽引部が形成されることによって，ドーナッツ型バンドコイルを交替しようとする時に牽引部から分解し，次に，ドーナッツ型一側板及びドーナッツ型他側板を解体した後，新たなドーナッツ型バンドコイルを準備して，その反対の順序で組み立てることができるようにして，より便利で，かつ速かにドーナッツ型バンドコイルを取替することができる。
【図面の簡単な説明】
【００２６】
【図１ａ】本発明に係るベルトクランプ用バンド収納ケースを示す斜視図である。
【図１ｂ】本発明に係るベルトクランプ用バンド収納ケースを示す斜視図である。
【図２】本発明に係るベルトクランプ用バンド収納ケースを示す分解斜視図である。
【図３】本発明に係るベルトクランプ用バンド収納ケースを示す側面図である。
【図４】本発明に係るベルトクランプ用バンド収納ケースを示す使用状態図である。
【図５】本発明に係るベルトクランプ用バンド収納ケースの使用態様を撮影した平面を示す写真である。
【図６】本発明に係るベルトクランプ用バンド収納ケースの使用態様を撮影した写真である。
【図７】本発明に係るベルトクランプ用バンド収納ケースの他側牽引板６２部分の拡大図写真である。
【図８ａ】一般的なベルトクランプを示す分解斜視図である。
【図８ｂ】一般的なベルトクランプを示す使用状態図である。
【発明を実施するための形態】
【００２７】
本発明に係るベルトクランプ用バンド収納ケースの好ましい実施形態を図面を参照しつつ説明することにし，その実施形態には多種の変更が可能であり，ここでの実施形態により本発明の目的，特徴，及び利点をよりよく理解できるようになる。
【００２８】
本発明に適用されるベルトクランプ１０は，ダクト又はホースなどに巻回されてクランピングするための台形バンド１１を基本とし，このバンド１１は多様なスタイルのファスナー１２（図８ａ参照）によりクランピング可能に組み立てられる。
【００２９】
本発明に係るベルトクランプ用バンド収納ケースは，図１ａ乃至図７に示すように，ベルトクランプ１０に適用されるバンド１１をより簡便で，かつ容易に保管及びカッティングできるように設計されたものであって，ベルトクランプ１０の構成となるバンド１１の一端３１を始点として巻回されて他端３２を外部に取り出すようにして，一側面３３及び他側面３４，そして内周縁３５及び外周縁３６が共に設けられるドーナッツ型バンドコイル３０を簡単・容易に収納するためのものである。
【００３０】
より詳しくは，本発明に係るベルトクランプ用バンド収納ケースは，ドーナッツ型バンドコイル３０の一側面３３を支持するドーナッツ型一側板４０と，ドーナッツ型バンドコイル３０の他側面３４を支持するドーナッツ型他側板５０とを含み，ドーナッツ型一側板４０及びドーナッツ型他側板５０との係合によりドーナッツ型バンドコイル３０の内周縁３５及び外周縁３６を被覆するように内部枠５１及び外部枠４１を形成し，バンド１１の他端３２が外部に露出できるように前記外部枠４１に取出孔４１ａを形成している。
【００３１】
ドーナッツ型バンドコイル３０の内周縁３５及び外周縁３６がドーナッツ型一側板４０及びドーナッツ型他側板５０の相互間の噛合ないし係合による内部枠５１及び外部枠４１に支持されると共に，その一側面３３及び他側面３４も共に支持されながら取出孔４１ａを介してバンド１１の他端３２が外部に露出されることによって，バンド１１の一端３１から他端３２に至るまで巻回された状態をそのまま維持しながら，その他端３２のみを取り出して使用できるようになって，より便利で，かつ簡便にバンド１１を保管及び収納，そして取り出し及びカッティングできるようになる。
【００３２】
そして，本発明に係るベルトクランプ用バンド収納ケースは，ドーナッツ型一側板４０及びドーナッツ型他側板５０を被覆するように取出孔４１ａから露出されたバンド１１の他端３２を掛けて時計回り方向（バンド１１の巻いた方向に一致する方向であるので，バンド１１の巻いた方向に伴い，反対方向の場合もある）に引き出して，取り出す，牽引部６０を含むことができる。
【００３３】
バンド１１は，一般的に金属やプラスチックを材料としているが，例えば手で把持して取り出す場合，擦過傷を負うことがあるので，牽引部６０でバンド１１を引き出して取り出すようにし，特に牽引部６０がドーナッツ型一側板４０及びドーナッツ型他側板５０を被覆しつつ時計方向に回転することによって，バンド１１の巻いた方向と一致する方向にバンド１１の他端３２を引き出す場合，自然にドーナッツ型バンドコイル３０がドーナッツ型一側板４０及びドーナッツ型他側板５０の内部で立ち，回転しながら解けるように，より円滑にバンド１１を取り出すことができ，このような状態で適当な長さにバンドを引き出し，バンド１１をカッティングしてファスナー１２との噛合ないし係合をなすようにするものである。
【００３４】
この際，取出孔４１ａから外部枠４１の時計回り方向（図４）に離間する位置に，バンド１１の長手方向と交差する方向に，例えばＶ溝状に穿設したカッティング溝４１ｂを設けることができる。
【００３５】
一般的に，バンド１１は金属を材料とし，それ自体一定の弾性と剛性を有するので，外部枠４１にバンド１１を密着した状態を維持しながらカッティング溝４１ｂに鋏などのカッターを挿入してバンド１１をカッティングできるようにして，カッティングされたバンド１１はそのまま落下し，ドーナッツ型バンドコイル３０に連続するバンド１１は手で把持するようにすることで，バンド１１の弾性による擦過傷を未然に防止できる。
【００３６】
本発明に係るベルトクランプ用バンド収納ケースは，延いては，牽引部６０によりバンド１１が引っ張られてカッティング溝４１ｂに至る際，取出孔４１ａからどれだけの長さで取り出されたかが把握できるように，ドーナッツ型他側板５０に取出孔４１ａを起点にして時計回り方向の等間隔で，例えば，被結束物の外径寸法に対応する寸法５１ｂを表す目盛りを設けることもできる。
【００３７】
取出孔４１ａから取り出されたバンド１１は，固定不変の円周を有する外部枠４１に沿って曲がることができ，このようなことを用いて取出孔４１ａから時計方向の等間隔で寸法５１ｂをドーナッツ型他側板５０［必要によってはドーナッツ型一側板４０］に予め表記してバンド１１の取り出し長さを正確に把握できるようにすることで，作業現場でのバンド１１のカッティング長さをリアルタイムに確認できるようにするだけでなく，より迅速なカッティングを可能にするので好ましい。
【００３８】
そして，ドーナッツ型他側板５０は，合成樹脂のような透明材質で形成してドーナッツ型バンドコイル３０の量，即ちバンド１１の残存長さを何時でも把握できるようにする。
【００３９】
また，バンド１１が取出孔４１ａから取り出す際，連続して安着できるように外部枠４１の円周方向にバンド案内溝４１ｄを形成して，外部に露出されたバンド１１が外部枠４１から抜け出さず，バンド案内溝４１ｄに安着するようにして，その長さの測定乃至カッティング時の容易性を倍加することができるようにする。
【００４０】
また一方，ドーナッツ型一側板４０は等間隔で係止溝４１ｃが形成され，ドーナッツ型他側板５０は係止溝４１ｃに着脱可能に組み立てられる係止片５１ａを備えて，互いに着脱可能に組立できるようにすることで，ドーナッツ型バンドコイル３０の自由な取替をより容易に行なうことができる。
【００４１】
そして，ドーナッツ型一側板４０は外部枠４１を備え，ドーナッツ型他側板５０は内部枠５１を備えることができ，その反対の場合も可能であることは勿論である。
【００４２】
延いては，牽引部６０はドーナッツ型一側板４０及びドーナッツ型他側板５０を被覆するように互いに溝Ｈと突起Ｐにより着脱可能に係合される一側牽引板６１及び他側牽引板６２からなり，バンド１１の他端３２を掛けることができるように一側牽引板６１の上端に突出した係止段６１ｂを含むことができる。
【００４３】
牽引部６０が一側牽引板６１及び他側牽引板６２の相互間の着脱可能な係合からなることによって，ドーナッツ型バンドコイル３０を取替しようとする時，牽引部６０から分解し，次にドーナッツ型一側板４０及びドーナッツ型他側板５０を解体した後，新たなドーナッツ型バンドコイル３０を準備して，その反対の順序で組み立てることができるようになって，より便利で，かつ速かにドーナッツ型バンドコイル３０を取替することができるので好ましい。
【００４４】
上記構成からなる本発明に係るベルトクランプ用バンド収納ケースの使用動作を説明すれば，次の通りである。
【００４５】
まず，ベルトクランプ１０に適用されるバンド１１をリールツーリール，又はロールツーロール方式により巻回してドーナッツ型バンドコイル３０に形成した後，ドーナッツ型一側板４０に載置する。
【００４６】
そして，ドーナッツ型他側板５０をドーナッツ型一側板４０に付き合せて係止片５１ａと係止溝４１ｃとの係合により一体化させ，この際，ドーナッツ型バンドコイル３０から取り出されたバンド１１の他端３２を取出孔４１ａに嵌めて外部に露出させることができるようにする。
【００４７】
次に，一側牽引板６１及び他側牽引板６２でドーナッツ型一側板４０とドーナッツ型他側板５０を被覆しつつ，溝Ｈと突起Ｐとの合致により牽引部６０を形成して組み立てた後，バンド１１の他端３２を折曲して牽引部６０の係止段６１ｂに掛けて，牽引部６０を時計方向に回転してドーナッツ型バンドコイル３０からバンド１１を適当な長さに引き出してバンド案内溝４１ｄに載置する。
【００４８】
この際，ドーナッツ型他側板５０に表示された寸法５１ｂを見ながら所望の長さだけバンド１１を取り出した場合，カッティング溝４１ｂにカッターを挿入してカッティングしてファスナー１２との組合を可能にし，ドーナッツ型バンドコイル３０から取り出されたバンド１１の他端３２は手で把持して擦過傷などから自由にすることができる。
【００４９】
このような動作は，作業現場でベルトクランプ１０に適用されるバンド１１の長さの加減によってリアルタイムにその寸法５１ｂを見ながらドーナッツ型バンドコイル３０からバンド１１を取り出し及びカッティングすることで，より便利で，かつ簡便にバンド１１を保管及び収納しながらカッティングできる点で非常に有益であるということができる。
【００５０】
本発明は，ベルトクランプに適用されるバンドの保管及びカッティングする分野に利用できる。
【符号の説明】
【００５１】
１０    ベルトクランプ
１１    バンド
１２    ファスナー
３０    ドーナッツ型バンドコイル
３１    一端
３２    他端
３３    一側面
３４    他側面
３５    内周縁
３６    外周縁
４０    ドーナッツ型一側板
４１    外部枠
４１ａ  取出孔
４１ｂ  カッティング溝
４１ｃ  係止溝
４１ｄ  バンド案内溝
５０    ドーナッツ型他側板
５１    内部枠
５１ａ  係止片
５１ｂ  寸法
６０    牽引部
６１    一側牽引板
６１ｂ  係止段
６２    他側牽引板
Ｄ      ダクト
Ｐ      突起
Ｈ      溝
【図１ａ】
2012035908.tif 000003
【図１ｂ】
2012035908.tif 000004
【図２】
2012035908.tif 000005
【図３】
2012035908.tif 000006
【図４】
2012035908.tif 000007
【図８ａ】
2012035908.tif 000008
【図８ｂ】
2012035908.tif 000009
【図５】
2012035908.tif 000010
【図６】
2012035908.tif 000011
【図７】
2012035908.tif 000012